(57)【要約】  【課題】エンド脚の内面に天板の使用縁近傍の下面を支持するステーを備えたテーブルにおいて、天板増連時にテーブルの解体をせずに、エンド脚に外装脚を有する拡張天板を適切に支持させて、前垂れ現象を防止する。  【解決手段】天板４の幅方向端部に拡張天板４ｘを増連すべく、エンド脚１にビーム３を介して外装脚１ｘを連結し、そのビーム３に拡張天板４ｘを支持させるとともに、エンド脚１の内面に付帯するステー５に補助ステー６を取り付けて支持面６２ａを外側方に持ち出し、この補助ステー６２ａに拡張天板４ｘの使用縁４ａｘ近傍の下面を支持させることとした。  【選択図】図８
2008119413.tif 000002
【特許請求の範囲】
【請求項１】
脚構造体が、少なくとも一方のエンド脚とこのエンド脚に隣接するエンド脚又は中間脚との間をビームで連結することによって構成され、そのビームに天板を支持させるとともに、天板の使用縁近傍の下面を支持する位置に支持面を有するステーを前記エンド脚の内面に設けているテーブルにおいて、
天板の幅方向端部に拡張天板を増連すべく、前記エンド脚にビームを介して外装脚を連結し、そのビームに拡張天板を支持させるとともに、前記エンド脚の内面に付帯するステーに補助ステーを取り付けて支持面を外側方に持ち出し、この補助ステーに拡張天板の使用縁近傍の下面を支持させたことを特徴とするテーブル。
【請求項２】
ステー及び補助ステーが天板及び拡張天板の反使用縁近傍の下面を支持する位置にも設けられる請求項１記載のテーブル。
【請求項３】
天板の使用縁に最も近いビームが当該天板の使用縁から奥行き方向内方に変位した位置にて天板を支持している請求項１記載のテーブル。
【請求項４】
天板の反使用縁に最も近いビームが当該天板の反使用縁から奥行き方向内方に変位した位置にて天板を支持している請求項２記載のテーブル。
【請求項５】
ステーの支持面がビームの支持面とともに脚構造体の上面よりも高位置に設定してある請求項１〜４記載のテーブル。
【請求項６】
天板がエンド脚の片半部にまで載置され、拡張天板がエンド脚の他半部に載置されて、天板及び拡張天板の隣接境界位置にエンド脚が位置するようにしている請求項１〜５記載のテーブル。
【請求項７】
ステーが支持面を貫通させた止着具を天板下面に止着するようにしたものであり、且つ拡張天板の増連時には補助ステーを天板下面に共締めするようにしている請求項１〜６記載のテーブル。
【請求項８】
補助ステーが、一端部をステーの頂壁の下面に密着させ、他端部をエンド脚の上を通過して拡張天板の下面に密着する位置に配置されるものであり、一端部と他端部との間にステーの頂壁の厚みに対応した段差を有している請求項７記載のテーブル。
【発明の詳細な説明】
【技術分野】
【０００１】
本発明は、オフィス等において天板面を必要に応じて適切に拡張できるようにしたテーブルに関するものである。
【背景技術】
【０００２】
近時のオフィスは、居住空間を効率よく利用しつつ組織の機動性を高める目的等により、天板を必要に応じて幅方向に隣接させ、フリーアドレス制を採用するところが随所に見られる。
【０００３】
例えば、非特許文献１等のテーブルは、天板面の拡張性を考慮してエンド脚同士、あるいはエンド脚間に中間脚が配置される場合にはエンド脚と中間脚の間を、それぞれビームで連結し、そのビーム上に天板を載せ置とともに、フリーアドレスではワゴン等の配置が定まらないため、エンド脚間の下肢空間を極力広くとるべく、少なくとも使用縁から奥に入り込んだ部位に前記ビームを位置づけ、中間脚も脚支柱が天板の奥行き方向内方へ入り込んだ部位に位置する鳥居形のものが用いられている。
【非特許文献１】コクヨ株式会社カタログ「ＫＯＫＵＹＯ  ファニチャー編  ２００６」，ｐ７４
【発明の開示】
【発明が解決しようとする課題】
【０００４】
しかしながら、このような構造を採用する場合、ビームが天板の奥行き方向縁部近傍の下面を支持していないことから、着座者側に近い天板の使用縁に上載荷重が作用した場合に、天板の前垂れ現象が起こり易い。
【０００５】
そこで、脚の対応部位にステーを固定しておき、このステーで天板の使用縁における下面を支持することが有効な手段として考えられる。その際、エンド脚には外観を毀損しないように内面側にのみステーを設け、中間脚を採用する場合には中間脚の両側で天板を支持する必要がある関係上、ステーをその中間脚の両面に設ける必要がある。
【０００６】
しかしながら、天板面を拡張するために、エンド脚の外側に新たに拡張天板及び外装脚を供えた増連ユニットを外付けしようとすると、この外装脚と上記エンド脚との間はビームで連結できるものの、エンド脚には上述したように拡張天板の使用縁における下面を支持するステーが存在しないため、前垂れ現象を防止する手立てがない。これを解消すべく、中間脚及び拡張天板を備えた増連ユニットを間に介在させるとなると、テーブル全体の解体が必要となり、作業が極めて煩雑で大掛かりなものになる。
【０００７】
本発明は、天板増連時におけるこのような不具合に有効に善処したテーブルを新たに提供しようとするものである。
【課題を解決するための手段】
【０００８】
本発明は、かかる目的を達成するために、次のような手段を講じたものである。
【０００９】
すなわち本発明は、脚構造体が、少なくとも一方のエンド脚とこのエンド脚に隣接するエンド脚又は中間脚との間をビームで連結することによって構成され、そのビームに天板を支持させるとともに、天板の使用縁近傍の下面を支持する位置に支持面を有するステーを前記エンド脚の内面に設けているテーブルにおいて、天板の幅方向端部に拡張天板を増連すべく、前記エンド脚にビームを介して外装脚を連結し、そのビームに拡張天板を支持させるとともに、前記エンド脚の内面に付帯するステーに補助ステーを取り付けて支持面を外側方に持ち出し、この補助ステーに拡張天板の使用縁近傍の下面を支持させたことを特徴とする。
【００１０】
このように構成すると、エンド脚が内面にしかステーを有しない場合であっても、エンド脚に拡張天板を外付けで増連した場合に、その拡張天板の使用縁近傍の下面を補助ステーを介してそのエンド脚のステーに有効に支持させることができる。このため、テーブルの解体をせずとも使用縁の補強を実現することが可能となる。
【００１１】
テーブルの反使用縁側をも補強し、天板の奥方に掛かる上載荷重や対面使用時の負荷に対処するためには、ステー及び補助ステーが天板及び拡張天板の反使用縁近傍の下面を支持する位置にも設けられていることが望ましい。
【００１２】
本発明の好適な適用例としては、天板の使用縁に最も近いビームが当該天板の使用縁から奥行き方向内方に変位した位置にて天板を支持しているものや、天板の反使用縁に最も近いビームが当該天板の反使用縁から奥行き方向内方に変位した位置にて天板を支持しているもの等が挙げられる。ここで使用縁から奥行き方向内方とは、例えば長方形のテーブルの場合、使用縁に沿った方向を幅方向、それと直交する方向を奥行き方向と称するため、使用縁からこの奥行き方向に入り込んだ位置を指称するものである。
【００１３】
特に、ステーの支持面がビームの支持面とともに脚構造体の上面よりも高位置に設定してある脚構造に適用することが極めて効果的である。
【００１４】
後付け感のない増連を可能とし、補助ステーの負荷も極力低減するためには、天板がエンド脚の片半部にまで載置されし、拡張天板がエンド脚の他半部に載置されて、天板及び拡張天板の隣接境界位置にエンド脚が位置するようにしていることが有効となる。
【００１５】
補助ステーを簡単かつ適正に取り付けるためには、ステーが支持面を貫通させた止着具を天板下面に止着するようにしたものであり、拡張天板の増連時には補助ステーを天板下面に共締めするようにしていることが望ましい。
【００１６】
特に好ましい態様としては、補助ステーが、一端部をステーの頂壁の下面に密着させ、他端部をエンド脚の上を通過して拡張天板の下面に密着する位置に配置されるものであり、一端部と他端部との間にステーの頂壁の厚みに対応した段差を有しているものが挙げられる。
【発明の効果】
【００１７】
本発明は、以上説明した構成であるから、エンド脚の内面に天板の使用縁近傍の下面を支持するステーを備えたテーブルにおいて、天板増連時にテーブルの解体をせずに、補助ステーを用いるだけでエンド脚に外装脚を有する拡張天板を使用縁側の下面を含めて適切に支持させることができ、外付けであっても天板の前垂れ現象を防止して適切な取付状態を実現することが可能となる。
【発明を実施するための最良の形態】
【００１８】
以下、本発明の一実施形態を、図面を参照して説明する。
【００１９】
この実施形態のテーブルは、図１〜図３に示すように、エンド脚１，１同士あるいはエンド脚１，１間に図示のごとく中間脚２が配置される場合にはエンド脚１と中間脚２の間をそれぞれビーム３で連結して自立性のある脚構造体Ａを構成し、この脚構造体Ａのビーム３上に天板４を必要に応じ幅方向に隣接させて複数載せ置けるようにしたものである。ビーム３は天板４の使用縁４ａから奥行き方向内方へ奥に入り込んだ部位に位置づけられ、中間脚２も脚支柱２１が天板４の奥行き方向内方へ入り込んだ部位に位置する鳥居形のものが用いられていて、通常の使用状態ではこれらが利用者に視認され難く、また天板４の使用縁４ａ側の下肢空間が十分確保できる構造をなしている。この実施形態の場合、天板４は前記脚構造体Ａの奥行き方向片半部づつに対をなして配置されて対面使用が可能となっており、一対の天板４の反使用縁４ｂ、４ｂ間には配線の落し込み等を可能にする隙間Ｓが設けてある。そして、図３に想像線で示すように、その隙間Ｓを介してデスクトップパネル５を、エンド脚１や中間脚２に支持させた状態で取り付け得るようにしている。デスクトップパネル５の下縁５ｂはその隙間Ｓを介して天板４の下肢空間に開放されている。そのデスクトップパネル５の下縁５ｂは、天板４のパネル面４ｘよりも高位置に配置され、ここでも配線の落し込み等を可能にする隙間Ｓの形成に寄与している。
【００２０】
図４に示すように、ビーム３の天板支持面３ａは脚構造体Ａであるエンド脚１や中間脚２の上面１ａ、２ａよりも高位置にあり、天板４とエンド脚１や中間脚２との間には上下方向の隙間ｄが存在している。また、取付状態で天板４の側縁４ｓはエンド脚１や中間脚２の片半部にのみさしかかるように載置された状態にあり、中間脚２を余らせずに大型テーブルを構成でき、また天板４をエンド脚１にも中間脚２にも同じ構造で取り付けることを可能にしている。
【００２１】
このような構造を採用する場合、ビーム３が図２のように天板４の使用縁４ａに最も近いビーム３（３ｘ）が奥行き方向内方にあって使用縁近傍の下面を支持していないことから、天板４の使用縁４ａ近傍に上載荷重Ｗが作用した場合に、天板４の前垂れ現象が起こり易い。
【００２２】
そこで、天板４の使用縁４ａ近傍の下面を支持すべく、エンド脚１の内面及び中間脚２の両面にそれぞれステー５を取り付けている。エンド脚１は外観を担保する必要があるため外面にステーを設けられないのに対して、中間脚１は両側の天板４を支持する必要から両面に設けられているものである。
【００２３】
このステー５は、図２、図３及び図５に示すように、板金素材を折り曲げて形成された頂壁５１及び一対の側壁５２からなる下向きチャネル状のもので、頂壁５１の上面５１ａがエンド脚１や中間脚２の上面１ａ、２ａよりも高位置、すなわちビーム３の天板支持面３ａと同じ高さに位置するように取り付けられている。そして、頂壁５１ａに通過孔５１ｂを設け、下面側から挿し通した止着具たるねじｖを天板４の下面に止着することによって、天板４の使用縁近傍の下面を頂壁５１に支持させた状態で固定するようにしている。
【００２４】
ところで、天板面を拡張するために、図６に示すようにエンド脚１の外側に拡張天板４ｘ及び新たなエンド脚に相当する外装脚１ｘを供えた増連ユニットＵを外付けしたい場合がある。その際、この外装脚１ｘと上記エンド脚１との間はビーム３で連結できるものの、拡張天板４ｘに対する奥行き方向のビーム３の支持位置も上記天板４とビーム３の関係に等しく、エンド脚１には上述したように内面側にのみステー５が位置し、外面側には拡張天板４ｘの使用縁４ａｘにおける下面を支持するステーが存在しないため、そのままでは前垂れ現象が防止できない。さりとて、図７に示すように、例えば一方の天板４及びこれに付帯するエンド脚２等を中間脚２から一旦切り離して、両面にステー５を有する中間脚に相当する内装脚２ｙ及び拡張天板４ｙを備えた増連ユニットＵ´を中間に介在させるとなると、テーブル全体の解体が必要となり、作業が極めて煩雑で大掛かりなものになる。
【００２５】
そこで、本実施形態は、図６の態様による増連にあたり、エンド脚１の内面に付帯するステー５に図８及び図９に示す補助ステー６を取り付けて支持面６２ａを外側方に持ち出し、拡張天板４ｘの側縁４ｓｘにおいて、この補助ステー６に拡張天板４ｘの使用縁４ａｘ近傍の下面を支持させるようにしている。
【００２６】
補助ステー６は、一端部６１がステー５の頂壁５１の下面とエンド脚１の上面１ａとの隙間δに挿通可能な肉厚のもので、当該一端部６１をステー５の頂壁５１の下面に密着させ、他端部６２を前記ステー５の頂壁５１の厚みに対応する段差６３を介して拡張天板４ｘの下面に密着させ得る位置に配置したもので、他端部６２の支持面６２ａはステー５１の頂壁５１の上面５１ａと面一な位置に配置される。一端部６１にはステー５の頂壁５１の通過孔５１ｂに対応する位置にねじを挿し通すための通過孔６１ｂを備え、他端部６２にも同様の位置に通過孔６２ｂを設けている。
【００２７】
そして、エンド脚１の外側に図６に示すように新たに拡張天板４ｘ及び外装脚１ｘを供えた増連ユニットＵを追加するに際して、外装脚１ｘと上記エンド脚１との間をビーム３で連結するに伴い、エンド脚１の内面に付帯するステー５からねじを一旦外して、補助ステー６を図９の位置に差し込んで通過孔６１ｂ、５１ｂ同士を合致させ、その外したねじｖを再びそれらの通過孔６１ｂ、５１ｂに挿し通して天板４の下面に共締めするとともに、他端部６２の通過孔６２ｂにねじｖ´を挿し通して拡張天板４ｘの下面に止着することにより、拡張天板４ｘの使用縁４ａｘ近傍の下面を補助ステー６を介してステー５に支持させるようにしている。
【００２８】
このように構成すると、エンド脚１が内面にしかステー５を有しない場合であっても、図６に示すようにエンド脚１に拡張天板４ｘを外付けで増連した場合に、その拡張天板４ｘの使用縁４ａｘ近傍の下面を補助ステー６を介してエンド脚１のステー５に有効に支持させることができる。このため、図７に示すようなテーブルの解体をせずとも、当該使用縁４の前垂れ現象を適切に防止しつつ増連ユニットＵを簡易な作業によって接続することが可能となる。
【００２９】
特に、この実施形態のテーブルは、天板４の使用縁４ａに最も近いビーム３ｘが天板４の使用縁４ａから奥行き方向中央よりに変位した位置にて天板４を支持しており、図６に示す拡張天板４ｘの使用縁４ａｘとビーム３の関係も同様とされるため、上載荷重によって天板４ｘの前垂れ現象が生じ易い状態にあり、このようなものに本発明を適用することにより、ビーム３を外観から隠して見栄えの向上と下肢空間の確保を図る等のコンセプトを損なうことなく、また拡張天板４ｘの取付状態が不十分となることを有効に解消しつつ、簡素な外付け作業で拡張天板４ｘの増連を実現することが可能となる。
【００３０】
また、本実施形態のテーブルは、図３に示したようにステー５の支持面５１ａがビーム３の支持面３ａとともに脚構造体Ａを構成するエンド脚１や中間脚２の上面１ａ、２ａよりも高位置に設定してあり、上載荷重によって天板４の前垂れ現象が生じ易い点を踏まえても、このような脚構造体Ａの構成を抜本的に見直さずとも増連に係る不具合を解消できる利点を有する。
【００３１】
さらに、このテーブルは、図４に示したように天板４がエンド脚１の片半部に載置され、拡張天板４ｘもエンド脚１の他半部に載置されて取り付けられるため、天板４及び拡張天板４ｘの隣接境界位置の下方にエンド脚１が位置する関係となり、エンド脚１の真上で拡張天板４ｘを天板４に突き合わせることになるので、天板４がエンド脚１の外側方に完全にオーバーハングしている構造のテーブルに対して本発明を実施する場合に比して、見た目の後付け感がない上に、補助ステー６をエンド脚１から拡張天板４ｘ側に持ち出す際の持ち出し量Ｌ（図９参照）が少なくて済み、ここでも前垂れ現象防止の実効が図れるものとなる。
【００３２】
さらに、ステー５が支持面５１ａを貫通させたねじｖを天板４の下面に止着するようにしたものであり、拡張天板４ｘの増連時にはそのねじｖを用いて補助ステー６を天板４の下面に共締めするようにしているので、ステー５及び補助ステー６の天板下面におけるスペース的な取り合いを解消しつつ、部品点数及び工数を抑えて、補助ステー６を有効に取り付けることができる。
【００３３】
その補助ステー６も、一端部６１をステー５の頂壁５１の下面に密着させ、他端部６２をエンド脚１の上を通過して拡張天板４ｘの下面に密着する位置に配置されるものであり、一端部６１と他端部６２との間にステー５の頂壁５１の厚みに対応した段差６３を形成しているため、補助ステー６の他端部６２を拡張天板４ｘを適正に支持し得る位置に配置することができ、また板材の塑性変形加工で作っても段差６３に補助ステー６を補強するリブとしての役割も担わせて、簡素ながら強度を備えた取付構造を実現することが可能となる。
【００３４】
なお、各部の具体的な構成は、上述した実施形態のみに限定されるものではない。
【００３５】
例えば、天板の反使用縁側をも有効に補強したい場合には、ステーとともに補助ステーを天板及び拡張天板の反使用縁における下面を支持する位置にも配置することが望ましい。これにより、天板の奥方に掛かる上載荷重や対面使用時の負荷にも有効に対処することができる。
【００３６】
特に、反使用縁に最も近いビームが天板の反使用縁からも奥行き方向内方よりに変位した位置にて天板を支持している場合には、上載荷重によって天板の沈み込みが生じ易いため、特に有効となる。
【００３７】
以上の効果は、テーブルが天板の奥行き方向両縁を使用縁とする場合にも事情は全く同様である。
【００３８】
その他の構成も、本発明の趣旨を逸脱しない範囲で種々変形が可能である。
【図面の簡単な説明】
【００３９】
【図１】本発明の一実施形態が適用されるテーブルの斜視図。
【図２】同テーブルを構成する脚構造体の斜視図。
【図３】同テーブルの側断面図。
【図４】同テーブルの脚構造体と天板の位置関係を示す図。
【図５】同テーブルのエンド脚の内面を示す図。
【図６】同テーブルに増連ユニットを取り付ける際の本発明の前提とする態様を示す図。
【図７】同テーブルに増連ユニットを取り付ける際の従来法に基づく態様を示す図。
【図８】同実施形態に係る増連ユニットの連結手順を示す要部拡大斜視図。
【図９】増連ユニットの連結状態を示す正断面図。
【符号の説明】
【００４０】
Ａ…脚構造体
１…エンド脚
１ｘ…外装脚
２…中間脚
３…ビーム
３ｘ…使用縁に最も近いビーム
４…天板
４ａ…使用縁
４ａｘ…使用縁
４ｂ…反使用縁
４ｘ…拡張天板
５…ステー
６…補助ステー
６１…一端部
６２…他端部
６２ａ…支持面
６３…段差
ｖ…止着具（ねじ）
【図１】
2008119413.tif 000003
【図２】
2008119413.tif 000004
【図３】
2008119413.tif 000005
【図４】
2008119413.tif 000006
【図５】
2008119413.tif 000007
【図６】
2008119413.tif 000008
【図７】
2008119413.tif 000009
【図８】
2008119413.tif 000010
【図９】
2008119413.tif 000011